【事件の表示】
　特願２０００−２０１９０４「アクティブマトリックス型液晶表示素子」拒絶査定不服審判事件〔平成１４年　１月２３日出願公開、特開２００２−　２３１９１〕について、次のとおり審決する。
【結　論】
　本件審判の請求は、成り立たない。
【理　由】
１．手続の経緯・本願発明
　本願は、平成１２年７月４日に特許出願したものであって、平成１８年７月２４日に手続補正がなされ、同年８月２４日付けで拒絶査定がなされ、これに対し、同年１０月５日に拒絶査定不服審判請求がなされるとともに同年１０月３１日に手続補正がなされ、その後当審において、平成２０年３月２６日付けで前記平成１８年１０月３１日付けの手続補正が却下されるとともに同日付けで拒絶理由が通知され、平成２０年５月２９日に手続補正書が提出されたものである。
　そして、その請求項に係る発明は、同年５月２９日付け手続補正書で補正された特許請求の範囲の請求項１〜１０に記載された事項により特定されるものであると認められるところ、請求項１に係る発明は次のものである。
　
「【請求項１】　表示領域に複数の画素電極およびこれらの画素電極にそれぞれ接続されたスイッチング素子がマトリックス状に設けられ、前記表示領域から前記表示領域の外側にかけて前記スイッチング素子にそれぞれ接続された走査ラインまたはデータラインが設けられ、前記表示領域の外側に前記走査ラインまたは前記データラインにそれぞれ接続された前記スイッチング素子を制御するスイッチング素子制御回路部が設けられたアクティブマトリックス基板と、前記画素電極に対向する対向電極が設けられた対向基板とが枠状のシール材を介して貼り合わされ、その間に液晶が封入されたアクティブマトリックス型液晶表示素子において、前記表示領域における前記スイッチング素子に対応する領域を避けた領域に第１のスペーサが設けられ、前記シール材は前記スイッチング素子制御回路部の少なくとも一部と重なる位置に設けられていることを特徴とするアクティブマトリックス型液晶表示素子。」（以下「本願発明」という。）
　
　
２．刊行物の記載事項
　当審における拒絶理由に引用した特開平１０−９１０８６号公報（以下「引用刊行物」という。）には、図面とともに以下の事項が記載されている。
　
（ア）「【０００１】 
【発明の属する技術分野】本発明は、平面表示装置等に用いられる表示装置用アレイ基板及びその製造方法に関し、また液晶表示装置に関する。」 
（イ）「【００１６】 
【発明の実施の形態】以下、本発明の一実施例の液晶表示装置について、図面を参照して詳細に説明する。図１は、本発明の一実施例の液晶表示装置の概略斜視図であり、この液晶表示装置(1) は、アレイ基板(500) と対向基板(800) とが液晶層（図示せず）を介して対向配置されて成る液晶パネル(3) を含む。」 
（ウ）「【００１８】図２を参照して、この実施例のアレイ基板(500) について更に詳細に説明する。このアレイ基板(500) は、０．７mm厚のガラスから成る絶縁基板(501) 上に（８００×３）本の信号線(511) と、６００本の走査線(521) とが互いに略直交するように配置されている。・・・（略）・・・。 
【００１９】信号線(511) は、絶縁基板(501) の対向する２つの端辺(501a),(501c) 側に、シール材が配されるシール領域(601) を介して延在され、一端辺(501a)側は信号線接続パッド(513) に導く斜め配線部(511a)を構成する。走査線(521) も同様に、絶縁基板(501) の対向する２つの端辺(501b),(501d) 側に、シール領域(601)を介して延在され、一端辺(501b)側は走査線接続パッド(523) に導く斜め配線部(521a)を構成する。 
【００２０】シール領域(601) 内における信号線(511) と走査線(521) との交点部分近傍には、走査線(511) にゲート電極が、信号線(521) にドレイン電極が接続されたＴＦＴ(531) が配置されている。そして、各ＴＦＴ(531) のソース電極にＩＴＯから成る画素電極(541) が接続され、これら画素電極(541) によって表示領域(551) が形成される。・・・（略）・・・。 
 【００２１】複数の画素電極(541) がマトリクス状に配置されて構成される表示領域(551)とシール領域(601) との間には、シール領域(601) に沿って形成されるリング状の第１導体リング(561) が配置されている。・・・（略）・・・。」
（エ）引用刊行物の液晶表示装置において、表示領域(551)から前記表示領域(551)の外側にかけてＴＦＴ(531)にそれぞれ接続された走査線(521)または信号線(511)が設けられること、が図２及び図３から見て取れる。
（オ）引用刊行物の液晶表示装置は、画素電極(541)が設けられたアレイ基板(500)と、該画素電極(541)に対向する対向電極が設けられた対向基板(800)とが枠状のシール材を介して対向配置され、その間に液晶層が封入されたものであることは当業者に自明である。 
 　 
　よって、これらの記載を総合すると、引用刊行物には、次の発明（以下「引用発明」という。）が記載されていると認められる。 
 　 
「表示領域に複数の画素電極およびこれらの画素電極にそれぞれ接続されたＴＦＴがマトリクス状に設けられ、前記表示領域から前記表示領域の外側にかけて前記ＴＦＴにそれぞれ接続された走査線または信号線が設けられたアレイ基板と、前記画素電極に対向する対向電極が設けられた対向基板とが枠状のシール材を介して対向配置され、その間に液晶層が封入された液晶表示装置。」 
　
　
３．対比、判断
　本願発明と引用発明を対比する。
　引用発明の「表示領域」、「画素電極」、「ＴＦＴ」、「マトリクス状」、「走査線」、「信号線」、「アレイ基板」、「対向電極」、「対向基板」、「シール材」、「対向配置され」、「液晶層」及び「液晶表示装置」は、それぞれ、本願発明の「表示領域」、「画素電極」、「スイッチング素子」、「マトリックス状」、「走査ライン」、「データライン」、「アクティブマトリックス基板」、「対向電極」、「対向基板」、「シール材」、「貼り合わされ」、「液晶」及び「アクティブマトリックス型液晶表示素子」に相当する。 
 　  
　したがって、両者は、　  
「表示領域に複数の画素電極およびこれらの画素電極にそれぞれ接続されたスイッチング素子がマトリックス状に設けられ、前記表示領域から前記表示領域の外側にかけて前記スイッチング素子にそれぞれ接続された走査ラインまたはデータラインが設けられたアクティブマトリックス基板と、前記画素電極に対向する対向電極が設けられた対向基板とが枠状のシール材を介して貼り合わされ、その間に液晶が封入されたアクティブマトリックス型液晶表示素子。」　  
である点で一致し、次の各点で相違する。　  
 　  
相違点
〔相違点１〕：本願発明は、アクティブマトリックス基板に、表示領域の外側に走査ラインまたはデータラインにそれぞれ接続され、スイッチング素子を制御するスイッチング素子制御回路部が設けられるとともに、シール材が前記スイッチング素子制御回路部の少なくとも一部と重なる位置に設けられているのに対し、引用発明は、アクティブマトリックス基板にそのようなスイッチング素子制御回路部が設けられていない点。 
〔相違点２〕：本願発明は、表示領域におけるスイッチング素子に対応する領域を避けた領域に第１のスペーサが設けられるのに対し、引用発明は、そのような領域にスペーサを設けるかどうか不明な点。
 　 
　上記相違点につき検討する。
〔相違点１〕について
　アクティブマトリックス基板の表示領域の外側に、走査ラインまたはデータラインにそれぞれ接続され、スイッチング素子を制御するスイッチング素子制御回路部を設けるとともに、シール材を前記スイッチング素子制御回路部の少なくとも一部と重なる位置に設けるアクティブマトリックス型液晶表示素子は本願出願前周知であり（例えば、特開昭６４−６８７２５号公報（第３図とその説明参照。）、特開平６−１８６５８０号公報（図３（ｂ）とその説明参照。）等参照。）、特開平１０−１１１５１５号公報（図１とその説明参照。）等参照。）、この周知技術を引用発明に適用し、上記〔相違点１〕に係る本願発明の技術的事項とすることは、当業者が容易になし得ることである。
〔相違点２〕について
　２つの基板の挟持間隔を保持するスペーサを、表示領域におけるスイッチング素子に対応する領域を避けた領域に設けるアクティブマトリックス型液晶表示素子は、本願出願前周知であり（例えば、特開２０００−１３１７０１号公報（【００１１】、【００１２】、図１）、特開平１０−２２８０２２号公報（【０１３３】、【０１３４】、図８）、特開平１０−８２９０９号公報（請求項１、【００１５】）、特開平４−３７７２０号公報（第２頁右下欄［作用］の欄、第１図）等参照。）、この周知技術を引用発明に適用し、上記〔相違点２〕に係る本願発明の技術的事項とすることは、当業者が容易になし得ることである。
　
　そして、本願発明によってもたらされる効果は、引用発明及び上記各周知技術から当業者が予測し得る程度のものである。
　
　
４．むすび
　したがって、本願発明は、引用発明及び各周知技術から当業者が容易に発明をすることができたものであるから、特許法第２９条第２項の規定により特許を受けることができない。
　
　よって、結論のとおり審決する。